(57)【要約】【課題】  位置決めと抜け防止作用により、ガタツキの発生を防止しつつ、取り付け強度を高めることができるモータファンシュラウドに対するリザーブタンク取付構造の提供。【解決手段】  左側の差込挟持部４は、前後方向に対向する挟持面４１、４２が備えられていて、前側の挟持面４１には略半円球状の係止突起４１ａが突出形成される一方、差込挟持部４内に上方から差し込まれる取付耳片２１には係止突起４１ａが弾性的に係合することにより位置決めが行われる係合穴２１ａが形成され、右側の差込挟持部５は、前後方向に対向する挟持面５１、５２が備えられていて、取付耳片２２には差込挟持部５内に上方から差し込むことにより該取付耳片２２がその弾性により撓んで通過を許した後に差込挟持部５における後側の挟持面５２を構成する上側の係止壁５２ａに係止して取付耳片２２の抜けを阻止する係合爪部２２ａが形成されている。【選択図】      図２
2005220795.tif 000002
【特許請求の範囲】
【請求項１】
モータファンシュラウドに対するリザーブタンク取付構造であって、
前記リザーブタンクは、上部に所定間隔を開けて一対の取付耳片が備えられると共に、下部には下方へ向けて突出する取付突起が備えられ、
前記モータファンシュラウドは、下部に前記取付突起を挿入係止可能な係合穴を有する受け部が備えられると共に、上部には互いに対向する挟持面が備えられていて該両挟持面相互間に前記リザーブタンクの両取付耳片をそれぞれ上方から差し込み係止可能な差込挟持部が備えられ、
該一方の差込挟持部における一方の挟持面に略半円球状の係止突起が突出形成される一方、該差込挟持部に差し込まれる方の取付耳片には前記係止突起が弾性的に係合することにより位置決めが行われる係合穴が形成され、
前記もう一方の取付耳片にはもう一方の差込挟持部に上方から差し込むことにより該取付耳片がその弾性により撓んで通過を許した後に差込挟持部における一方の挟持面に形成された係止部に係止して取付耳片の抜けを阻止する係合爪部が形成されていることを特徴とするモータファンシュラウドに対するリザーブタンク取付構造。
【発明の詳細な説明】
【技術分野】
【０００１】
本発明は、車両のエンジン冷却水放熱用ラジエータや空調用コンデンサに付設されるモータファンシュラウドに対しオーバフロー冷却水等を貯留するためのリザーブタンクを取り付けるモータファンシュラウドに対するリザーブタンク取付構造に関する。
【背景技術】
【０００２】
従来のモータファンシュラウドに対するリザーブタンク取付構造としては、図７に示すように、リザーブタンク１１０側には、その下端に下方へ向けて突出する取付突起１１１が設けられ、上端には、幅方向両端部にそれぞれボルト挿通孔１１２、１１２が形成された取付耳片１１３、１１３が設けられる一方、モータファンシュラウド１２０側には、その下部に前記取付突起１１１を差込係止可能な孔１２１が形成された受け部１２２が設けられ、上部には前記リザーブタンク１１０の各取付耳片１１３、１１３に対応する薄肉壁部をそれぞれ備える取付ブロック１２３が設けられ、該薄肉部には取付耳片１１３、１１３のルト挿通孔１１２、１１２より大径の孔が形成されると共に、Ｊナット１２４、１２４が嵌め込まれていている。
このＪナット１２４、１２４は、弾性材を断面Ｊ字状またはＵ字状に折り曲げ、その一方の片にはねじ孔が形成され、他方の片にはねじ孔と整合させて該ねじ孔より大径の孔が形成されている。
【０００３】
そして、リザーバタンク１１０は、まず、その下端の取付突起１１１をモータファンシュラウド１２０における受け部１２２の孔１２１内に挿入係止させ、その上端の両取付耳片１１３、１１３のボルト挿通孔１１２、１１２に挿通したボルト１１４、１１４を取付ブロック１２３の薄肉壁部に嵌め込まれたＪナット１２４、１２４に螺合締結することにより、モータファンシュラウド１２０に対し取り付け固定されるようになっている。
【０００４】
しかしながら、上述の従来例１の取付構造では、２本のボルト１１４、１１４とこれに対応するＪナット１２４、１２４が必要であり、かつ、Ｊナット１２４、１２４の薄肉壁部への嵌め込み作業およびボルト１１４、１１４の締結作業が必要になるため、コストと作業工数がかかるという問題がある。
【０００５】
そこで、ボルトおよびＪナットを用いずに、樹脂の弾性を利用して取り付けを行うようにすることにより、上述の問題点を解決可能にしたものがある。
即ち、この従来例２は、図８（正面図）、および、図９（図８のIX−IX線における拡大横断面図）に示すように、リザーブタンク２１０は第１の取付耳片２１１と第２の取付耳片２１２を上端に備えると共に、下部には下方へ向けて突出する取付突起２１３を備え、ファンシュラウド２２０は、上部の取付けブロック２２１に、リザーブタンク２１０の一方の取付耳片２１１に対応させてピン２２２が付設されたクリップ部２２３と、他方の取付耳片２１２を横方向に差し込み可能なフック部２２４とを設け、下部には取付突起２１３を受ける穴を有する下受け部２２５を備え、クリップ部２２３は、そのピン２２２に取付耳片２１１の孔を正面方向から差し込んだとき、クリップ片２２６が撓んで通過を許し、その後爪２２７が当該取付耳片２１１と係合して、取付耳片２１１のピン２２２からの抜けを阻止する構造となっている（例えば、特許文献１参照。）。
【０００６】
【特許文献１】特開２００３−２６９１６９  （明細書１頁、図１、７）
【発明の開示】
【発明が解決しようとする課題】
【０００７】
しかしながら、上述の従来例２にあっては、樹脂の寸法誤差を許容するために、各取付部相互間には予め所定の隙間を設けておく必要があり、このため、ガタツキの発生原因になるという問題があった。
また、従来例２のように、樹脂の凹凸を利用して締結する構造のものは、従来例１のボルトによる締結に比べ、取り付け強度が弱く、外れ易いという問題がある。
【０００８】
本発明の解決しようとする課題は、ガタツキの発生を防止しつつ、取り付け強度を高めることができるモータファンシュラウドに対するリザーブタンク取付構造を提供することにある。
【課題を解決するための手段】
【０００９】
上記課題を解決するため請求項１記載の発明は、モータファンシュラウドに対するリザーブタンク取付構造であって、前記リザーブタンクは、上部に所定間隔を開けて一対の取付耳片が備えられると共に、下部には下方へ向けて突出する取付突起が備えられ、前記モータファンシュラウドは、下部に前記取付突起を挿入係止可能な係合穴を有する受け部が備えられると共に、上部には互いに対向する挟持面が備えられていて該両挟持面相互間に前記リザーブタンクの両取付耳片をそれぞれ上方から差し込み係止可能な差込挟持部が備えられ、一方の差込挟持部における一方の挟持面に略半円球状の係止突起が突出形成される一方、該差込挟持部に差し込まれる方の取付耳片には前記係止突起が弾性的に係合することにより位置決めが行われる係合穴が形成され、前記もう一方の取付耳片にはもう一方の差込挟持部に上方から差し込むことにより該取付耳片がその弾性により撓んで通過を許した後に差込挟持部における一方の挟持面に形成された係止部に係止して取付耳片の抜けを阻止する係合爪部が形成されていることを特徴とする手段とした。
【発明の効果】
【００１０】
請求項１記載のモータファンシュラウドに対するリザーブタンク取付構造では、上述のように構成されるため、リザーブタンクの両取付耳片をそれぞれモータファンシュラウドの両差込挟持部内に上方から挿入すると共に、リザーブタンクの取付突起をータファンシュラウドの受け部に形成された係合穴に挿入し、この状態でリザーブタンクをさらに下方に押し下げることにより、一方の差込挟持部側では、一方の取付耳片の係合穴が差込挟持部における一方の挟持面に形成された略半円球状の係止突起に係合され、これにより、モータファンシュラウドに対するリザーブタンクが位置決めがなされた状態となる。
また、もう一方の差込挟持部側では、もう一方の取付耳片がその弾性により撓んで通過を許した後に差込挟持部における一方の挟持面に形成された係止部に係止され、これにより、取付耳片の上方への抜けが阻止された状態となる。
従って、位置決めと抜け防止作用により、ガタツキの発生を防止しつつ、取り付け強度を高めることができるようになるという効果が得られる。
【発明を実施するための最良の形態】
【００１１】
以下にこの発明の実施例を図面に基づいて説明する。
【実施例】
【００１２】
まず、この実施例のモータファンシュラウドに対するリザーブタンク取付構造を図面に基づいて説明する。
【００１３】
図１はこの実施例のモータファンシュラウドに対するリザーブタンク取付構造を示す正面図、図２は図１のII−II線における拡大縦断面図、図３は図１の III−III 線における拡大縦断面、図４はモータファンシュラウドを示す要部拡大斜視図、図５はリザーブタンクを示す正面側からの拡大斜視図、図６はリザーブタンクを示す背面側からの拡大斜視図である。
この実施例のモータファンシュラウドに対するリザーブタンク取付構造は、モータファンシュラウド１と、リザーブタンク２とを主な構成として備えている。
【００１４】
さらに詳述すると、前記モータファンシュラウド１は、所定の弾性を有する樹脂製で、正面形状が略矩形のベース部１１の中央部に図示を省略したファンを収容する丸穴１２が設けられ、ベース部１１からは図示を省略したファンモータを支持するための支持アーム１３が張り出した状態となっている。なお、このモータファンシュラウド１は、支持アーム１３の張り出し側を前面として説明する。
【００１５】
前記リザーブタンク２は、所定の弾性を有する樹脂製で、その後面の上部に左右所定間隔を開けて一対の取付耳片２１、２２が備えられると共に、下部には下方へ向けて突出する円柱状の取付突起２３が備えられている。
【００１６】
前記モータファンシュラウド１は、ベース部１１の前面で左下部に前記リザーブタンク２の取付突起２３を上方から挿入係止可能な係合穴３１を有する受け部３が備えられると共に、ベース部１１の前面で左側上端部には前記リザーブタンク２の一対の取付耳片２１、２２をそれぞれ上方から差し込み係止可能な差込挟持部４、５が備えられている。
【００１７】
前記左側の差込挟持部４は、前後方向に対向する挟持面４１、４２が備えられていて、前側の挟持面４１には略半円球状の係止突起４１ａが突出形成される一方、該左側の差込挟持部４内に上方から差し込まれる左側の取付耳片２１には前記係止突起４１ａが弾性的に係合することにより位置決めが行われる係合穴２１ａが形成されている。そして、後側の挟持面４２はその下方が開放されることにより、差込挟持部４内における取付耳片２１の弾性による撓みを可能にして係止突起４１ａに対する係合穴２１ａの係合が容易に行えるようになっている。
【００１８】
前記右側の差込挟持部５は、前後方向に対向する挟持面５１、５２が備えられていて、前記右側の取付耳片２２には右側の差込挟持部５内に上方から差し込むことにより該取付耳片２２がその弾性により撓んで通過を許した後に差込挟持部５における後側の挟持面５２を構成する上下２枚の水平な係止壁５２ａ、５２ａのうち、上側の係止壁５２ａに係止して取付耳片２２の抜けを阻止する係合爪部２２ａが形成されていて、この係合爪部２２ａの下面はテーパ面に形成されている。そして、前側の挟持面５１は後側の挟持面５２との対向上部が開放されることにより、係合爪部２２ａが上側の係止壁５２ａを通過する際に取付耳片２２が撓めるようになっている。
【００１９】
次に、この実施例の作用・効果を説明する。
この実施例では上述のように構成されるため、リザーブタンク２の両取付耳片２１、２２をそれぞれモータファンシュラウド１の両差込挟持部４、５内に上方から挿入すると共に、リザーブタンク２の取付突起２３をベース部１１の受け部３に形成された係合穴３１に挿入し、この状態でリザーブタンク２をさらに下方に押し下げることにより、左側の差込挟持部４側では、左側の取付耳片２１の係合穴２１ａが差込挟持部４における前側の挟持面４１に形成された略半円球状の係止突起４１ａに係合し、これにより、モータファンシュラウド１のベース部１１に対するリザーブタンク２が前後方向線と直行する面方向において位置決めがなされた状態となる。
従って、取り付け後におけるガタツキを防止することができるようになる。
【００２０】
そして、取付耳片２１の係合穴２１ａが略半円球状の係止突起４１ａに係合する際には、後側の挟持面４２の下方が開放されていて左側の取付耳片２１の前後方向への撓みが許容されるため、係合操作を容易に行うことができ、係合した後は、左側の取付耳片２１が前後両挟持面４１、４２間に挟持され、これにより、前後方向のガタツキが防止された状態となる。
【００２１】
一方、上述のようにリザーブタンク２を下方に押し下げることにより、前記右側の差込挟持部５側では、後側の挟持面５２を構成する上側の係止壁５２ａに右側の取付耳片２２の係合爪部２２ａが通過してその下面に係合し、これにより、右側の取付耳片２２の上方への抜けが阻止された状態となる。
【００２２】
そして、係合爪部２２ａが上側の係止壁５２ａの下面に係合する際には、前側の挟持面５１における後側の挟持面５２との対向上部が開放されていて右側の取付耳片２２の前方への撓みが許容されるため、係合爪部２２ａが上側の係止壁５２ａを容易に通過してその下面に係合させることができ、これにより、係合操作を容易に行うことができ、係合した後は、右側の取付耳片２２が前後両挟持面５１、５２間に挟持され、これにより、前後方向のガタツキが防止された状態となる。
【００２３】
以上詳細に説明してきたように、この実施例のモータファンシュラウドに対するリザーブタンク取付構造によれば、位置決めと抜け防止作用により、ガタツキの発生を防止しつつ、取り付け強度を高めることができるようになるという効果が得られる。
【００２４】
以上本実施例を説明してきたが、本発明は上述の実施例に限られるものではなく、本発明の要旨を逸脱しない範囲の設計変更等があっても、本発明に含まれる。
【図面の簡単な説明】
【００２５】
【図１】実施例のモータファンシュラウドに対するリザーブタンク取付構造を示す正面図である。
【図２】図１のII−II線における拡大縦断面図である。
【図３】図１の III−III 線における拡大縦断面である。
【図４】モータファンシュラウドを示す要部拡大斜視図である。
【図５】リザーブタンクを示す正面側からの拡大斜視図である。
【図６】リザーブタンクを示す背面側からの拡大斜視図である。
【図７】従来例１のモータファンシュラウドに対するリザーブタンク取付構造を示す正面図である。
【図８】従来例２のモータファンシュラウドに対するリザーブタンク取付構造を示す正面図である。
【図９】図８のIX−IX線における横断面図である。
【符号の説明】
【００２６】
１  モータファンシュラウド
１１  ベース部
１２  丸穴
１３  支持アーム
２  リザーブタンク
２１  左側の取付耳片
２２  右側の取付耳片
２２ａ  係合爪部
２３  取付突起
３  受け部
３１  係合穴
４  左側の差込挟持部
４１  前側の挟持面
４１ａ  係止突起
４２  後側の挟持面
５  右側の差込挟持部
５１  前側の挟持面
５２  後側の挟持面
５２ａ  係止壁
【図１】
2005220795.tif 000003
【図２】
2005220795.tif 000004
【図３】
2005220795.tif 000005
【図４】
2005220795.tif 000006
【図５】
2005220795.tif 000007
【図６】
2005220795.tif 000008
【図７】
2005220795.tif 000009
【図８】
2005220795.tif 000010
【図９】
2005220795.tif 000011